(57)【要約】【課題】簡単な構造で、容易に線材を挿通して設置することが可能であると共に、設置位置に安定した状態で設置することができる線材引出し口キャップを提供する。【解決手段】二重床上のカーペット１００に形成されるケーブル１２０の引出し口１１０を覆う線材引出し口キャップ１であって、引出し口１１０の外周囲の所定部分に設置され、引出し口１１０から引き出されるケーブル１２０が導入される導入開口１３を有する脚台部１２と、脚台部１２から立ち上がって形成され、引出し口１１０を空間を開けて覆うと共に、導入開口１３から導入されるケーブル１２０が引き出される引出し開口１５を有するカバー部１４とを備え、導入開口１３と引出し開口１５とがスリット１６を介して連通する。【選択図】図２
2011226160.tif 000002
【特許請求の範囲】
【請求項１】
二重床上の仕上材に形成される線材の引出し口を覆う線材引出し口キャップであって、
前記引出し口の外周囲の所定部分に設置され、前記引出し口から引き出される線材が導入される導入開口を有する脚台部と、
前記脚台部から立ち上がって形成され、前記引出し口を空間を開けて覆うと共に、前記導入開口から導入される線材が引き出される引出し開口を有するカバー部とを備え、
前記導入開口と前記引出し開口とがスリットを介して連通することを特徴とする線材引出し口キャップ。
【請求項２】
前記スリットに、内側から外側に向かって漸次幅が広くなる領域を設けることを特徴とする請求項１記載の線材引出し口キャップ。
【請求項３】
前記脚台部と前記カバー部とを硬質弾性材料で形成し、
前記カバー部を略ドーム形状若しくは略アーチ形状に形成することを特徴とする請求項１又は２記載の線材引出し口キャップ。
【請求項４】
前記スリットを前記脚台部に形成し、
前記脚台部のうち少なくとも前記スリットが形成されている周囲部分を前記引出し口の外周囲の所定部分に簡易固着することを特徴とする請求項１〜３の何れかに記載の線材引出し口キャップ。
【請求項５】
前記スリットの両側の部分の厚みを、それ以外の部分の前記脚台部若しくは前記カバー部の厚みよりも薄く形成することを特徴とする請求項１〜４の何れかに記載の線材引出し口キャップ。
【発明の詳細な説明】
【技術分野】
【０００１】
本発明は、二重床の上面に敷設される仕上材の線材引出し口を覆う線材引出し口キャップに関する。
【背景技術】
【０００２】
オフィスなどの床下側に線材を配線して床面上に線材を引き出す二重床構造では、二重床内から線材を引き出す箇所において、二重床上に敷設されたカーペット等の仕上材に線材の引出し口が設けられる。そして、その引出し口には、引き出される線材の折り曲げ部分が踏みつけられたり、或いは引出し口から二重床の内部に塵や埃などが侵入することを防止するために、キャップ状の線材引出し口キャップが設置されて覆われる。
【０００３】
例えば特許文献１には、仕上材の引出し口外周囲の所定部分に接着布で簡易固着される脚台部と、脚台部から立ち上がって形成される側部領域とそれに連続する上部領域とを有し且つ引出し口の上方を覆うカバー部とを備え、カバー部の側部領域に引出し開口を形成し、引出し開口から上部領域に延在する拡張開口を形成する線材引出し口キャップが開示されている。
【先行技術文献】
【特許文献】
【０００４】
【特許文献１】特許第２８２０６３３号公報
【発明の概要】
【発明が解決しようとする課題】
【０００５】
しかしながら、特許文献１のような線材引出し口キャップは、カーペット等の仕上材に接着布で簡易固着されてはいるものの、歩行者の足が何度も当たったりすることで設置位置から外れてしまうことがあり、最悪の場合には紛失してしまうことがある。そのため、設置位置に安定した状態で設置することができる線材引出し口キャップが求められている。
【０００６】
本発明は上記課題を解決するために提案するものであって、簡単な構造で、容易に線材を挿通して設置することが可能であると共に、設置位置に安定した状態で設置することができる線材引出し口キャップを提供することを目的とする。
【課題を解決するための手段】
【０００７】
本発明の線材引出し口キャップは、二重床上の仕上材に形成される線材の引出し口を覆う線材引出し口キャップであって、前記引出し口の外周囲の所定部分に設置され、前記引出し口から引き出される線材が導入される導入開口を有する脚台部と、前記脚台部から立ち上がって形成され、前記引出し口を空間を開けて覆うと共に、前記導入開口から導入される線材が引き出される引出し開口を有するカバー部とを備え、前記導入開口と前記引出し開口とがスリットを介して連通することを特徴とする。
【０００８】
この構成によれば、例えば電気の配線ケーブルのような線材（短軸の太さ４ｍｍ程度）であれば、スリットの少なくとも一部の幅を例えば０ｍｍ以上３ｍｍ以下の範囲で狭くし、引出し口から引き出された線材をスリットを開いて導入開口及び引き出し開口に通すことが可能となり、容易に導入開口及び引出し開口に線材を挿通して設置することができる。また、導入開口及び引出し開口に挿通された線材は、スリットによって抜け止めされるので、線材引出し口キャップを設置位置に安定した状態で設置することができる。また、例えばカバー部を二分割して嵌合するキャップの場合のように、面倒な嵌合作業が不要となり、キャップの構造を簡単にすることができる。
【０００９】
本発明の線材引出し口キャップは、前記スリットに、内側から外側に向かって漸次幅が広くなる領域を設けることを特徴とする。
【００１０】
この構成によれば、線材をスリットから引出し開口に入れる際には容易に入れることができると共に、引出し開口に入れた線材がスリットから出ることをより確実に防止することができる。
【００１１】
本発明の線材引出し口キャップは、前記脚台部と前記カバー部とを硬質弾性材料で形成し、前記カバー部を略ドーム形状若しくは略アーチ形状に形成することを特徴とする。
【００１２】
この構成によれば、カバー部の断面形状が円弧になると共にカバー部や脚台部が硬質材料であるから、線材引出し口キャップの機械的強度を高め、線材をより確実に保護することができると共に、スリットが離間し難くなって、引出し開口に入れた線材がスリットから出ることをより確実に防止することができる。また、カバー部に対して捻る力を加えると、硬質弾性材料であるカバー部や脚台部を容易に変形してスリットを離間することができるので、線材をスリットから引出し開口に入れる際には容易に入れることができる。
【００１３】
本発明の線材引出し口キャップは、前記スリットを前記脚台部に形成し、前記脚台部のうち少なくとも前記スリットが形成されている周囲部分を前記引出し口の外周囲の所定部分に簡易固着する、又は前記脚台部を全体に亘って前記引出し口の外周囲の所定部分に簡易固着することを特徴とする。
【００１４】
この構成によれば、スリットの両側部分を仕上材に簡易固着することが可能となるので、歩行者に蹴られる等の外力でスリットが離間することをより確実に防止でき、引出し開口に入れた線材がスリットから出ることをより確実に防止することができる。
【００１５】
本発明の線材引出し口キャップは、前記スリットの両側の部分の厚みを、それ以外の部分の前記脚台部若しくは前記カバー部の厚みよりも薄く形成することを特徴とする。
【００１６】
この構成によれば、線材をスリットから引出し開口に入れる際に、一層容易に入れることが可能となる。
【００１７】
本発明の線材引出し口キャップは、前記脚台部の裏面にシート状の簡易固着材を配置し、前記脚台部の裏面から突出する突起を前記簡易固着材を貫通させ、前記突起の下端に設けられている係止部で前記簡易固着材を係止することを特徴とする。
【００１８】
この構成によれば、シート状の簡易固着材の強固で安定な固定状態を維持することができる。また、歩行者の踏圧等を受けた場合に、シート状の簡易固着材の圧縮を制限することができ、簡易固着材がつぶれて仕上材に対する簡易固着性能が劣化することを防止できる。
【００１９】
本発明の線材引出し構造の組立方法は、平面視略リング状若しくは略Ｃ字形で、内側に線材が導入される導入開口を有する脚台部と、前記脚台部から立ち上がって形成され、前記導入開口から導入される線材が引き出される引出し開口を有するカバー部とから構成され、前記導入開口と前記引出し開口とがスリットを介して連通している線材引出し口キャップを、二重床上の仕上材に形成される線材の引出し口を覆うように設置して組み立てる線材引出し構造の組立方法であって、前記引出し口から引き出される線材を、前記スリットの間隔を広げて前記導入開口及び前記引出し開口に挿通するように入れる工程と、前記脚台部を前記引出し口の外周囲の所定部分に設置し、前記脚台部の裏面の簡易固着材を前記仕上材に簡易固着する工程とを備えることを特徴とする。
【００２０】
この構成によれば、線材引出し口キャップを捻る等してスリットから線材を容易に挿入することができ、導入開口及び引出し開口に線材を容易に挿通して設置することができる。また、導入開口及び引出し開口に挿通された線材は、スリットによって抜け止めされるので、線材引出し口キャップを設置位置に安定した状態で設置することができる。また、仕上材への設置時には、導入開口及び引出し開口に線材が挿通された状態で線材引出し口キャップの線材に対する位置が規制されているので、所望の位置に簡単に脚台部或いは線材引出し口キャップを配置することができる。
【発明の効果】
【００２１】
本発明の線材引出し口キャップは、引出し口から引き出された線材をスリットを開いて導入開口及び引き出し開口に通すことが可能となり、容易に導入開口及び引出し開口に線材を挿通して設置することができる。また、導入開口及び引出し開口に挿通された線材は、スリットによって抜け止めされるので、線材引出し口キャップを設置位置に安定した状態で設置することができる。
【図面の簡単な説明】
【００２２】
【図１】（ａ）は第１実施形態の線材引出し口キャップの平面図、（ｂ）はその側面図、（ｃ）はその正面図。
【図２】第１実施形態の線材引出し口キャップの使用状態における斜視図。
【図３】（ａ）は第２実施形態の線材引出し口キャップの平面図、（ｂ）はその側面図、（ｃ）はその正面図。
【図４】第２実施形態の線材引出し口キャップの使用状態における斜視図。
【図５】（ａ）は第３実施形態の線材引出し口キャップの平面図、（ｂ）はその側面図、（ｃ）はその正面図。
【図６】（ａ）は第３実施形態の線材引出し口キャップの使用状態におけるノックアウト前の状態を示す斜視図、（ｂ）はそのノックアウト後の状態を示す斜視図。
【図７】（ａ）は第４実施形態の線材引出し口キャップの平面図、（ｂ）はその側面図、（ｃ）はその正面図。
【図８】第４実施形態の線材引出し口キャップの使用状態における斜視図。
【図９】（ａ）〜（ｆ）は第５実施形態〜第１０実施形態の線材引出し口キャップの平面図。
【発明を実施するための形態】
【００２３】
〔第１実施形態の線材引出し口キャップ〕
本発明による第１実施形態の線材引出し口キャップについて説明する。図１及び図２は第１実施形態の線材引出し口キャップを示す図である。
【００２４】
第１実施形態の線材引出し口キャップ１は、図１及び図２に示すように、二重床上の仕上材であるカーペット１００に形成される線材の引出し口１１０を覆うものであり、二重床下から引き出される線材であるケーブル１２０の根元を保護するようにして、カーペット１００に取り付けられる。線材引出し口キャップ１は、脚台部１２と、カバー部１４とから構成され、硬質で弾性を有する高分子樹脂等で一体的に形成されている。
【００２５】
脚台部１２は、図示例では平面視で略円形リング状に形成されており、引出し口１１０の外周囲の所定部分に設置される。脚台部１２の内側である略中央の略円形部分は、引出し口１１０から引き出されるケーブル１２０が導入される導入開口１３になっている。導入開口１３は、ケーブル１２０の太さよりも大きく形成することが好ましく、複数本のケーブル１２０を導入可能な大きさとしてもよい。
【００２６】
略リング状に形成された脚台部１２には、後述する引出し開口１５の下端に隣接する部分に、ケーブル１２０の幅より幅が狭い幅狭部であるスリット１６が形成されており、導入開口１３と引出し開口１５はスリット１６を介して連通している。
【００２７】
スリット１６の両側に位置する脚台部１２の部分である一対の対向端部１２ａ・１２ａ、換言すればスリット１６によって狭い幅で分割されている一対の対向端部１２ａ・１２ａは、その幅が脚台部１２の他の部分に比べて狭く形成されていると共に、略円弧形状の脚台部１２において、円弧形状の一部が弦のように略直線になった形状で形成されている。更に、一対の対向端部１２ａ・１２ａには、脚台部１２の内側から外側に向かってスリット１６の幅が漸次広くなるテーパー状の部分が外周面から形成されており、このテーパー状部分において、スリット１６は内側から外側に向かって漸次幅が広くなる領域になっている。また、例えばケーブル１２０がＬＡＮケーブルのような線材（太さ５．５ｍｍ程度）であれば、スリット１６の少なくとも一部の幅を例えば０ｍｍ以上４ｍｍ以下の範囲で狭くするなど、少なくとも最短幅でケーブル１２０の幅よりも狭くなっており、図示例では一対の対向端部１２ａ・１２ａの先端相互がケーブル１２０の幅よりも狭くなっている。尚、スリット１６は、ケーブル１２０の幅よりも狭い範囲で離間する構成以外に、対向端部１２ａ・１２ａ同士が当接してスリット１６の幅が常態でゼロの切れ目とする構成としてもよい。
【００２８】
脚台部１２の裏面１２ｂには、脚台部１２の厚さと同程度の太さの突起である円柱突起１２ｃが複数設けられていると共に、カーペット１００に対する簡易固着材として、脚台部１２と平面視形状が同形状に形成され、先端が略Ｊ字形状等の突起が多数植毛されている、シート状の簡易固着材であるマジックテープ１７（登録商標）が取り付けられている。マジックテープ１７には、円柱突起１２ｃに対応する部分に円柱突起１２ｃの太さよりも僅かに大きい開口が形成されており、脚台部１２の円柱突起１２ｃがマジックテープ１７の前記開口に挿通され、円柱突起１２ｃの前記開口より太い係止部１２ｄで係止することにより、マジックテープ１７が脚台部１２の裏面１２ｂに取り付けられている。
【００２９】
このマジックテープ１７を脚台部１２の裏面１２ｂに取り付ける際には、係止部１２ｄが形成されていない状態の円柱突起１２ｃをマジックテープ１７の開口に通して脚台部１２の裏面１２ｂにマジックテープ１７を配置し、その後に円柱突起１２ｃの先端を加熱溶融して太く変形して係止部１２ｄを形成する。この構造により、マジックテープ１７を脚台部１２の裏面１２ｂに強固に固定することが可能である。尚、脚台部１２の裏面１２ｂへのマジックテープ１７の取り付けは、両面テープや接着剤による貼着、リベット留め、ビス留め、ボルト留め、熱融着等の各種取り付け方法を用いることが可能である。
【００３０】
カバー部１４は、脚台部１２から立ち上がって形成されており、図示例では脚台部１２から上方且つ内側に向かって略ドーム状に立ち上がって形成され、導入開口１３及び引出し口１１０の大部分を被覆するようにして空間を開けて覆っている。この内部空間は、引出し口１１０及び導入開口１３から導入されるケーブル１２０が、その折曲げ方向を選択可能な程度の大きさで形成されている。また、カバー部１４には、線材引出し口キャップ１内に導入開口１３から導入されるケーブル１２０が外部に引き出される引出し開口１５が形成されており、引出し開口１５は、カバー部１４の頂上付近より僅かに下の位置からカバー部１４の正面視の下端、即ち脚台部１２にかけて長孔状に形成され、上述のスリット１６へと連通している。尚、カバー部１４の下端縁は、脚台部１２と連結していると共にカーペット１００に当接している。
【００３１】
引出し開口１５は、ケーブル１２０の太さよりも大きく形成することが好ましく、複数本のケーブル１２０を導入可能な大きさとしてもよい。尚、引出し開口１５は、カバー部１４のスリット１６に対応する方向の下端から頂点の下側まで設ける構成の他に、前記下端から頂点付近を越えて逆側の中ほどまでに至る大きさで形成することも可能である。この構成では、二重床下から引き出されるケーブル１２０を余裕を持って保護しつつ、ある程度の自由度を持って線材引出し口キャップ１から外部に引き出すことができる。その結果、カーペット１００上に線材引出し口キャップ１を一旦簡易固着すると、ケーブル１２０を多少動かした程度では線材引出し口キャップ１に外力が加わらないため、簡易固着が容易に外れ難くなる。
【００３２】
この線材引出し口キャップ１を二重床上に設置する際には、二重床下から引出し口１１０を介して引き出されるケーブル１２０がスリット１６の間隔を広げてスリット１６から内側に入れられ、導入開口１３及び引出し開口１５にケーブル１２０が挿通される。ケーブル１２０をスリット１６から入れる時には、そのままテーパー部分からケーブル１２０を押し込む構成の他に、カバー部４を捻るようにしてスリット１６の間隔を広げて入れる構成等としてもよい。そして、脚台部１２を引出し口１１０の外周囲の所定部分に配置し、脚台部１２の裏面１２ｂのマジックテープ１７を引出し口１１０の外周囲の所定部分に簡易固着して、脚台部１２が全体に亘って引出し口１１０の外周囲の所定部分に簡易固着されるようにし、線材引出し口キャップ１が設置される。設置された線材引出し口キャップ１は、カバー部１４により引出し口１１０及び引出し口１１０から引き出されたケーブル１２０の根元を大きく隠して保護する。
【００３３】
第１実施形態の線材引出し口キャップ１は、引出し口１１０から引き出されたケーブル１２０を導入開口１３から引出し開口１５まで貫通させて通し、ケーブル１２０に簡単に装着することができる。また、線材引出し口キャップ１は、スリット１６がケーブル１２０よりも狭く形成されているため、ケーブル１２０が一端装着されると、スリット１６の両側の対向端部１２ａ・１２ａにケーブル１２０が係止されることになり、安定した装着状態を維持することができる。
【００３４】
また、第１実施形態の線材引出し口キャップ１は、スリット１６によって分割されている脚台部１２の一対の対向端部１２ａ・１２ａに、脚台部１２の内側から外側に向かってスリット１６の幅が漸次広くなるテーパー状部分を形成することにより、線材引出し口キャップ１に対してケーブル１２０をより装着し易くすると共に、内側が幅狭であるテーパー状部分で、一旦装着すると一層外れ難くすることができて使い勝手を良くすることができる。
【００３５】
また、第１実施形態の線材引出し口キャップ１は、全体が硬質で弾性を有する材料で形成されていると共に、カバー部１４が略ドーム形状に形成されてため、歩行者の踏圧のような一方向の力が印加されても比較的均等に分散して容易には変形することがなく、ケーブル１２０を踏圧等から保護することができると共に、スリット１６が離間し難いことから、ケーブル１２０と線材引出し口キャップ１との分離を防止することができる。また、例えば脚台部１２の対向端部１２ａ・１２ａ同士を上下、左右或いはその両方に離間するような二方向の力（例えば、線材引出し口キャップを捻るような力）を加えることにより、線材引出し口キャップ１の材質の弾性に許容される量だけ変形することができ、ケーブル１２０の着脱が容易に行うことができる。
【００３６】
また、第１実施形態の線材引出し口キャップ１では、対向端部１２ａ・１２ａを含む脚台部１２の裏面１２ｂに簡易固着材としてのマジックテープ１７を固定し、マジックテープ１７によって脚台部１２をカーペット１００に簡易固着する際、対向端部１２ａ・１２ａをカーペット１００に固定した状態とすることができ、例えば歩行者に蹴られるといった外力によって対向端部１２ａ・１２ａが動いてスリット１６が離間する危険性を低減し、ケーブル１２０に一度装着した線材引出し口キャップ１をより外れ難くすることができる。他方で、線材引出し口キャップ１をケーブル１２０から取り外す際には、マジックテープ１７の簡易固着を解除して線材引出し口キャップ１をカーペット１００から取り外してから脚台部１２の対向端部１２ａ・１２ａ同士を離間させれば良く、線材引出し口キャップ１が歩行者の踏圧等によってケーブル１２０から容易に分離しないことと、作業者が線材引出し口キャップ１を容易に取り外せることとを両立している。
【００３７】
また、第１実施形態の線材引出し口キャップ１では、略ドーム形状のカバー部１４の上方より僅かに下からカバー部１４の正面視下端にかけて引出し開口１５が大きく開口しているため、ケーブル１２０が引出し開口１５の縁に引っ掛かった状態で歩行者に上から踏まれるような事態を極力回避することができる。また、カバー部１４の引出し開口１５を頂点の下側から設ける構成により、比較的踏まれ易いカバー部１４の頂点を確実に保護し、ケーブル１２０が踏まれることをより確実に防止することができる。
【００３８】
また、第１実施形態の線材引出し口キャップ１では、円柱突起１２ｃ及び係止部１２ｄの係止機構によりマジックテープ１７を固定することにより、接着剤や両面テープ等で貼着する場合に比して、マジックテープ１７の強固で安定な固定状態を維持することができる。また、カーペット１００に線材引出し口キャップ１を取り付けた状態で、線材引出し口キャップ１の上から歩行者の踏圧等を受けた場合に、マジックテープ１７の厚さが脚台部１２の裏面１２ｂから係止部１２ｄの先端までの高さになるまでにマジックテープ１７の圧縮を制限することができ、マジックテープ１７がつぶれてカーペット１００に対する簡易固着性能が劣化することを防止することができる。
【００３９】
また、第１実施形態の線材引出し口キャップ１をカーペット１００に設置する際には、導入開口１３及び引出し開口１５にケーブル１２０が挿通された状態で線材引出し口キャップ１のケーブル１２０に対する位置が規制されているので、所望の位置に簡単に脚台部１２或いは線材引出し口キャップ１を配置することができる。
【００４０】
また、第１実施形態の線材引出し口キャップ１では、一対の対向端部１２ａ・１２ａのそれぞれの幅が、脚台部１２の他の部分の幅に比べて狭く形成されているため、例えば対向端部１２ａ・１２ａが歩行者の足に直接蹴られる危険性を小さくすることができ、その分だけ安定した装着状態を維持することができる。
【００４１】
また、第１実施形態の線材引出し口キャップ１では、脚台部１２の外周が平面視で略円弧形状に形成され、対向端部１２ａ・１２ａの部分では円弧の一部を略直線にしたような形状になっており、その間にスリット１６が形成され、スリット１６の外側の開放端が、脚台部１２の略円弧形状の外周の延長ラインよりも内側に位置しているため、例えばスリット１６の部分が歩行者の足に直接蹴られる危険性を小さくすることができ、その分だけ安定した装着状態を維持することができる。また、線材引出し口キャップ１を壁際に設置する際に、対向端部１２ａ・１２ａの直線的な外周部分を壁に揃えて設置することができるため、その点でも安定した装着状態を維持することができると共に、見栄えも良くすることができる。
【００４２】
〔第２実施形態の線材引出し口キャップ〕
次に、第２実施形態の線材引出し口キャップについて説明する。図３及び図４は第２実施形態の線材引出し口キャップを示す図である。尚、第２実施形態において、第１実施形態と同一構成の部分については同じ符号を付し、その説明を一部省略する。
【００４３】
第２実施形態の線材引出し口キャップ２は、図３及び図４に示すように、第１実施形態と同様にケーブル１２０に装着され、カーペット１００上に簡易固着されるものであり、脚台部１２と、カバー部１４とから構成され、硬質で弾性を有する高分子樹脂等で一体的に形成されている。
【００４４】
脚台部１２は、平面視で略Ｃ字形に形成され、後述するスリット２６に対応する部分でリングの一部を切断した形状になっていると共に、その内側及びカバー部１４の一方向の下端に隣接する切断部分は導入開口１３になっている。脚台部１２の裏面１２ｂには、カーペット１００に対する簡易固着材として、例えば先端が略錨形状或いは略Ｊ字形状の多数の係合突起１２ｅが一体に形成されている。
【００４５】
カバー部１４には、頂上付近からカバー部１４の一方向の中程にかけて、長孔状の引出し開口１５が形成されていると共に、引出し開口１５の下端からカバー部１４の一方向の下端に亘って、例えばケーブル１２０がＶＣＴ（ビニールキャブタイヤ）ケーブルのような線材（太さ１１ｍｍ程度）であれば、最短幅が例えば０ｍｍ以上７ｍｍ以下までの範囲で狭く形成されたスリット２６が形成されている。即ち、第２実施形態の線材引出し口キャップ２は、脚台部１２ではなくカバー部１４にスリット２６が設けられている点が第１実施形態とは異なるものの、スリット２６が導入開口１３及び引出し開口１５を連通するように形成されている点では第１実施形態と共通している。
【００４６】
そして、スリット２６によって狭い幅で分割されて対向しているカバー部１４の一対の対向端部１４ａ・１４ａには、対向端部１４ａ・１４ａの下方に向かってスリット２６の幅が漸次広くなるようにテーパー状部分が形成されることにより、スリット２６に内側から外側に向かって漸次幅が広くなる領域が設けられている。更に、スリット２６の両側部分である一対の対向端部１４ａ・１４ａの厚さは、カバー部１４の他の部分に比べて薄く形成されている。
【００４７】
線材引出し口キャップ２を二重床上に設置する際には、二重床下から引出し口１１０を介して引き出されるケーブル１２０がスリット２６から内側に入れられ、導入開口１３及び引出し開口１５にケーブル１２０が挿通される。ケーブル１２０をスリット２６から入れる時には、そのままテーパー部分からケーブル１２０を押し込む構成の他に、カバー部１４を捻るようにしてスリット２６の間隔を広げて入れる構成等としてもよい。そして、脚台部１２の裏面１２ｂの係合突起１２ｅを引出し口１１０の外周囲の所定部分に簡易固着して、脚台部１２が全体に亘って引出し口１１０の外周囲の所定部分に簡易固着されるようにし、線材引出し口キャップ２が設置される。設置された線材引出し口キャップ２は、カバー部１４により引出し口１１０及び引出し口１１０から引き出されたケーブル１２０の根元を大きく隠して保護する。
【００４８】
第２実施形態の線材引出し口キャップ２は、カバー部１４の引出し開口１５を頂点の下側から設ける構成、円柱突起１２ｃ及び係止部１２ｄの係止機構によりマジックテープ１７を固定する構成に対応する効果以外、第１実施形態の線材引出し口キャップ１と同様の効果を奏する。
【００４９】
更に、第２実施形態の線材引出し口キャップ２では、対向端部１４ａの厚みをカバー部１４の厚みよりも薄く形成することにより、ケーブル１２０に対する線材引出し口キャップ１の装着の際に対向端部１４ａを容易に変形することが可能であり、装着をより容易にすることができる。また、先端が略錨形状或いは略Ｊ字形状の多数の係合突起１２ｅが脚台部１２に対して一体に形成することにより、線材引出し口キャップ２をカーペット１００に対してより強固に固定することができる。
【００５０】
〔第３実施形態の線材引出し口キャップ〕
次に、第３実施形態の線材引出し口キャップについて説明する。図５及び図６は第３実施形態の線材引出し口キャップを示す図である。尚、第３実施形態において、第１実施形態と同一構成の部分については同じ符号を付し、その説明を一部省略する。
【００５１】
第３実施形態の線材引出し口キャップ３は、図５及び図６に示すように、第１実施形態と同様にケーブル１２０に装着され、カーペット１００上に簡易固着されるものであり、脚台部１２と、カバー部１４とから構成され、硬質で弾性を有する高分子樹脂等で一体的に形成されている。
【００５２】
脚台部１２は、図示例では平面視略リング状に形成されており、例えばケーブル１２０が電話線ケーブルのような線材（短軸の太さ２ｍｍ程度）であれば、最短幅が０ｍｍ以上１ｍｍ以下の範囲で狭く形成されたスリット３６が形成されている。スリット３６は斜めに且つ屈曲するように切り込まれており、線材引出し口キャップ３の正面視において、一方の対向端部１２ａの凸状部が他方の対向端部の凹状部に対向するようにして、対向端部１２ａ・１２ａが左右非対称の形状で形成されている。そして、スリット３６によって狭い幅に分割されている一対の対向端部１２ａ・１２ａには、脚台部１２の内側から外側に向かってスリット３６の幅が漸次広くなるテーパー状部分が外周面から形成されている。脚台部１２の内側は導入開口１３になっており、導入開口１３と後述する引出し開口１５はスリット３６を介して連通している。また、脚台部１２の裏面１２ｂには、脚台部１２の平面視形状と同一径状のマジックテープ１７が取り付けられ、マジックテープ１７は、脚台部１２を貫通して取り付けられる固定部材であるリベット２０によって取り付けられている。
【００５３】
カバー部１４には、第１実施形態と同様の形状の引出し開口１５が形成されているが、カバー部１４の頂上付近からカバー部１４の一方向の中程までにかけて、所定以上の押圧力を加えることにより打ち抜いて除去可能なノックアウト１９が形成されおり、ノックアウト１９を除去することにより引出し開口１５をカバー部１４の頂上付近まで拡大することが可能である。ノックアウト１９は、例えば予め切込みラインを入れておく等により形成する。
【００５４】
線材引出し口キャップ３を二重床上に設置する際には、二重床下から引出し口１１０を介して引き出されるケーブル１２０がスリット３６から内側に入れられ、導入開口１３及び引出し開口１５にケーブル１２０が挿通される。ケーブル１２０をスリット３６から入れる時には、そのままテーパー部分からケーブル１２０を押し込む構成の他に、カバー部１４を捻るようにしてスリット３６の間隔を広げて入れる構成等としてもよい。そして、脚台部１２の裏面１２ｂのマジックテープ１７を引出し口１１０の外周囲の所定部分に簡易固着して、脚台部１２が全体に亘って引出し口１１０の外周囲の所定部分に簡易固着されるようにし、線材引出し口キャップ３が設置される。設置された線材引出し口キャップ３は、カバー部１４により引出し口１１０及び引出し口１１０から引き出されたケーブル１２０の根元を大きく隠して保護する。また、ケーブル１２０の数が多い場合やケーブル１２０の引出し方向が引出し開口１５の側面における開口方向と異なる場合など、必要に応じてノックアウト１９を開口して引出し開口１５を拡大し、ケーブル１２０をカバー部１４の頂上付近等から引き出すようにしてもよい。
【００５５】
第３実施形態の線材引出し口キャップ３は、円柱突起１２ｃ及び係止部１２ｄの係止機構によりマジックテープ１７を固定する構成、対向端部１２ａ・１２ａの部分で円弧の一部を略直線形状にする構成に対応する効果以外、第１実施形態の線材引出し口キャップ１と同様の効果を奏する。また、リベット２０でマジックテープ１７を固定することにより、接着剤や両面テープ等で貼着する場合に比して、マジックテープ１７の強固で安定な固定状態を維持することができる。
【００５６】
また、第３実施形態の線材引出し口キャップ３では、スリット３６が斜めに切り込まれると共に、対向端部１２ａ・１２ａが左右非対称に形成され、線材引出し口キャップ３の正面視において一方の対向端部１２ａが他方の対向端部１２ａに覆い被さった形状に形成されているため、一旦装着したケーブル１２０がより外れ難くなっている。
【００５７】
また、スリット３６は斜めに屈曲するように或いは蛇行して形成されているため、仮に歩行者に蹴られる等した際にケーブル１２０が引出し開口１５の内側からスリット３６に強引に入ってしまう場合でも、ケーブル１２０の動きがスリット３６の形状に阻害されて内側に押し戻されるため、ケーブル１２０の外側への移動をより確実に防止することができる。
【００５８】
また、ノックアウト１９を形成することにより、例えば床下から引き出すケーブル１２０を増やしたい場合等には、図６（ｂ）に示すように、ノックアウト１９を打ち抜いて引出し開口１５を拡張して対応することができる。その一方、特に引出し開口１５を拡張する必要の無い場合には、ノックアウト１９の分だけ線材引出し口キャップ３の強度を高めた状態に維持することができる。
【００５９】
〔第４実施形態の線材引出し口キャップ〕
次に、第４実施形態の線材引出し口キャップについて説明する。図７及び図８は第４実施形態の線材引出し口キャップを示す図である。尚、第４実施形態において、第１実施形態と同一構成の部分については同じ符号を付し、その説明を一部省略する。
【００６０】
第４実施形態の線材引出し口キャップ４は、図７及び図８に示すように、第１実施形態と同様にケーブル１２０に装着され、カーペット１００上に簡易固着されるものであり、脚台部２２と、カバー部２４とから構成され、硬質で弾性を有する高分子樹脂等で一体的に形成されている。
【００６１】
カバー部２４は、平面視略正方形で略直方体状で内部空間を有する中空箱形に形成されていると共に、その四つの側壁の下端の各々からは、外側に屈曲して水平に延設された略矩形の脚台部２２が形成されており、換言すれば各脚台部２２から立ち上がるようにしてカバー部２４が形成されている。四方に設けられる脚台部２２で囲まれる略正方形の開口は導入開口２３になっていると共に、脚台部２２の裏面２２ｂにはマジックテープ１７が接着剤で貼着されている。
【００６２】
カバー部２４には、導入開口２３から線材引出し口キャップ４内に導入されるケーブル１２０を外部に引き出すための引出し開口２５が、カバー部２４の上面の中央付近から一方向の側壁の下端にかけて長孔状に形成されている。尚、ケーブル１２０の太さに対する導入開口２３及び引出し開口２５の大きさは、第１実施形態〜第３実施形態の導入開口１３及び引出し開口１５の大きさと同様に、ケーブル１２０の太さよりも大きく形成されている。
【００６３】
四つの脚台部２２のうち、引出し開口２５の下端に隣接する脚台部２２、すなわち線材引出し口キャップ４の正面側の脚台部２２には、上記第１〜第３実施形態と同様に、少なくとも最短幅がケーブル１２０の幅よりも狭い幅の幅狭部としてのスリット４６が、導入開口２３及び引出し開口２５と連通するように形成されている。
【００６４】
スリット４６は、線材引出し口キャップ４の正面視で略Ｓ字形状に脚台部２２を分割するように形成されており、一方（例えば図８の左方）の対向端部２２ａの段差に他方（例えば図８の右方）の対向端部２２ａの段差が重なるようにして形成されている。また、一方の対向端部２２ａには、他方の対向端部２２ａの上面に載置されて上面を係止する係止部３０が形成されており、一方と他方の対向端部２２ａ・２２ａ同士の係合が容易には外れないように係止されている。
【００６５】
線材引出し口キャップ４を二重床上に設置する際には、二重床下から引出し口１１０を介して引き出されるケーブル１２０がスリット４６から内側に入れられ、導入開口２３及び引出し開口２５にケーブル１２０が挿通される。ケーブル１２０をスリット４６から入れる時には、係止部３０の係止を外してスリット４６の間隔を広げ、必要に応じて線材引出し口キャップ４を捻るようにしてスリット４６の間隔を広げて挿入する。そして、脚台部２２の裏面２２ｂのマジックテープ１７を引出し口１１０の外周囲の所定部分に簡易固着して、脚台部１２が全体に亘って引出し口１１０の外周囲の所定部分に簡易固着されるようにし、線材引出し口キャップ４が設置される。設置された線材引出し口キャップ４は、カバー部２４により引出し口１１０及び引出し口１１０から引き出されたケーブル１２０の根元を大きく隠して保護する。
【００６６】
第４実施形態の線材引出し口キャップ４は、脚台部１２の内側から外側に向かってスリット１６の幅が漸次広くなるテーパー状部分を形成する構成、カバー部１４を略ドーム形状に形成する構成、カバー部１４の引出し開口１５を略ドーム状の頂点の下側から設ける構成、円柱突起１２ｃ及び係止部１２ｄの係止機構によりマジックテープ１７を固定する構成、一対の対向端部１２ａ・１２ａのそれぞれの幅を脚台部１２の他の部分の幅に比べて狭く形成する構成、対向端部１２ａ・１２ａの部分で円弧の一部を略直線形状にする構成に対応する効果以外、第１実施形態の線材引出し口キャップ１と同様の効果を奏する。
【００６７】
また、第４実施形態の線材引出し口キャップ４では、他方の対向端部２２ａの上面を係止部３０で係止して対向端部２２ａ・２２ａ同士の係合が容易には外れないようにしているため、歩行者に蹴られる等して線材引出し口キャップ４がケーブル１２０から外れてしまう事態をより確実に防ぐことが可能である。また、対向端部２２ａの厚みを脚台部２２の厚みよりも薄く（約半分程度）することが可能であるため、ケーブル１２０に対して線材引出し口キャップ４を取り付ける際、対向端部２２ａが変形し易くなり、装着を容易にすることができる。
【００６８】
〔実施形態の変形例及び他の実施形態等〕
本明細書開示の発明は、各発明や各実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含み、下記の変形例等も包含する。
【００６９】
例えば第１〜第４実施形態では、線材引出し口キャップ１〜４を硬質で弾性を有する高分子樹脂で形成する場合について述べたが、作業者が線材引出し口キャップを手で捻る等によりスリットを押し広げられる程度の弾性を有するものであれば適宜の材質とすることが可能であり、本発明における線材引出し口キャップは、例えば木製、金属製、カーボンファイバーやグラスファイバーを含むＦＲＰ等の樹脂製若しくは硬質の紙製、或いは廃プラスチック等のリサイクル製品によるもの、或いはこれらの複合製品等とすることが可能である。
【００７０】
また、線材引出し口キャップは、脚台部とカバー部、或いは脚台部の各部、或いはカバー部の各部など適宜の部分を一体形成しないものも包含し、必要な強度が得られれば、別体の部材を融着、接着、ボルト締め、嵌着等で固定する構成とすることも可能である。例えば第１〜第４実施形態においてカバー部と脚台部とを別体として固定したり、第１、第３及び第４実施形態において脚台部と対向端部とを別体にして固定したり、第２実施形態においてカバー部と対向端部とを別体にして固定したりすることが可能である。
【００７１】
また、第１〜第４実施形態では、二重床の仕上材としてカーペット１００を適用する場合について説明したが、フローリング床、或いは床シート等を仕上材とすることも可能であり、その場合には、線材引出し口キャップを仕上材に簡易固着する簡易固着材として、吸盤、両面テープ、若しくは粘着質の防振ゲル材等を適用すると好適である。
【００７２】
また、第１実施形態では、二重床下から引き出す線材（ケーブル１２０）としてＬＡＮケーブル（太さ５．５ｍｍ程度）を適用し、これに対応するスリット１６の最短幅を０ｍｍ以上４ｍｍ以下の範囲とする場合、更に、第２実施形態では、二重床下から引き出す線材としてＶＣＴケーブル（太さ１１ｍｍ程度）を適用し、これに対応するスリット２６の最短幅を０ｍｍ以上７ｍｍ以下の範囲とする場合、更に、第３実施形態では、二重床下から引き出す線材として電話線ケーブル（短軸太さ２ｍｍ程度）を適用し、これに対応するスリット３６の最短幅を０ｍｍ以上１ｍｍ以下の範囲とする場合について説明したが、これらのケーブル１２０等の線材の種類や太さは適宜とすることが可能であり、各種各太さの線材よりも幅の狭いスリットが形成される線材引出し口キャップであれば、上記と同様の効果を得ることが可能である。
【００７３】
また、第１〜第３実施形態では、脚台部１２を平面視で略リング形状や略Ｃ字形状とする場合について説明したが、脚台部の平面視形状は略楕円、略矩形、三角形、五角形、六角形、八角形等の略多角形若しくは略星形など適宜であり、連続的な脚台部ではなく、第４実施形態の脚台部２２のように複数の脚台部に分割された構成としてもよい。また、脚台部１２を不連続の略リング形状等で複数の部材を配置して構成し、それらをカバー部の下縁部で繋ぎ、前記各部材の内側を導入開口とする構成としてもよい。即ち、本発明に於ける脚台部には、線材引出し口キャップの構成部材の中でカーペット１００に当接するか、僅かに離間して配置される部材を広く含むものである。
【００７４】
また、脚台部に取り付けられる或いは形成されるマジックテープ１７、係合突起１２ｅ、両面テープ、接着剤等の簡易固着材は、脚台部の裏面の全体に亘って設ける構成の他に、一部分だけに設ける構成とすることも可能であり、又、複数種の簡易固着材を併用したり、複数の固定手段で簡易固着材を取り付けることも可能であり、線材引出し口キャップを仕上材に簡易固着する強度を確保できる範囲で適宜選択することが可能である。例えば、マジックテープ１７を脚台部１２の対向端部１２ａの裏面１２ｂには設けない構成や、或いは対向端部１２ａ以外の脚台部１２では円柱突起１２ｃ及び係止部１２ｄによってマジックテープ１７を固定し、対向端部１２ａでは接着剤で固定する構成とすることが可能である。特に、簡易固着材を脚台部の一部分に設ける場合には、脚台部のうち少なくともスリットが形成されている対向端部等の周囲部分に簡易固着材を設けておけば、簡易固着材による簡易固着が解除されない限りはケーブルから線材引出し口キャップが外れないため、安定した装着状態の維持という観点で有利である。
【００７５】
また、第１〜第４実施形態では、線材引出し口キャップ１〜４のカバー部１４、２４の下端から水平方向の外側に向けて脚台部１２、２２を形成する場合について説明したが、脚台部１２、２２はカバー部１４、２４の下端から水平方向の内側に向けて形成する構成とすることも可能である。
【００７６】
また、第１〜第４実施形態では、引出し口１１０やケーブル１２０の根元を保護するカバー部１４、２４をドーム形状或いは箱形にした場合について述べたが、カバー部１４、２４の形状は適宜の形状とすることが可能である。好適には、トンネル形状等のアーチ形状の部分をカバー部に含ませると、踏圧に対する線材引出し口キャップ全体の剛性を高めることができて良好である。
【００７７】
また、第１〜第４実施形態では、引出し開口１５をカバー部１４の一方向の下端から頂上付近より僅かに下の位置まで長孔形状に形成する構成や、引出し開口１５、２５をカバー部１４、２４の一方向の下端から頂上付近まで長孔形状に形成する構成について説明したが、引出し開口１５の形状や形成位置は適宜とすることが可能であり、例えばカバー部１４、２４の一方向の下端から頂上付近を介して逆方向の下端まで連通するように形成する構成等とすることが可能である。
【００７８】
また、第１〜第４実施形態では、線材引出し口キャップ１〜４に対して一つの引出し開口１５、２５を設ける場合について説明したが、引出し開口１５、２５を設ける数は限定しない。複数の引出し開口１５、２５を設ける場合には、それぞれの引出し開口１５、２５に対応する位置に幅狭部としてのスリット１６、２６、３６、４６を形成して導入開口１３、２３に連通することにより、上記と同様の効果を得ることができる。
【００７９】
また、第１〜第３実施形態では、スリット１６、２６、３６にテーパー形状の部分を形成する構成について説明したが、そのテーパー形状やテーパーの角度は必要に応じて適宜であり、又、ケーブル１２０の装着のし易さを特に考慮しないのであればテーパー形状の部分を設けない構成とすることも可能である。
【００８０】
また、第１実施形態の図１及び図２、第３実施形態の図５及び図６において、脚台部１２に幅狭部としてのスリット１６、３６を形成する場合について説明したが、その形状は限定されず、例えば図９（ａ）〜図９（ｆ）に示すような形状も含めて各種形状を適用することが可能である。
【００８１】
図９（ａ）の線材引出し口キャップ５の場合、スリット５６が引出し開口１５に対して右方寄り（左方寄りでも可）にずれている構成であるため、一旦装着されたケーブル１２０が引出し開口１５の内側からスリット５６に触れる可能性が低くなり、歩行者に蹴られる等した際に線材引出し口キャップ５が偶発的に外れてしまう危険性をより低減することができる。
【００８２】
図９（ｂ）の線材引出し口キャップ６の場合、対向端部１２ａ・１２ａが平面視で略逆Ｓ字形の鉤形状に形成され、スリット６６を挟んで互いに係合可能であるため、歩行者に蹴られる等した際に線材引出し口キャップ５が偶発的に外れてしまう危険性をより低減することができる。また、線材引出し口キャップ６では、引出し開口３５が、カバー部１４の一方向の下端から頂上付近を介して逆方向の下端まで連通するように大きく形成されており、ケーブル１２０を前後に大きく取り回せるようになっている。
【００８３】
図９（ｃ）の線材引出し口キャップ７の場合、スリット７６の両側の一対の対向端部１２ａ・１２ａが、先端で湾曲してスリット７６の周囲だけ引出し開口１５側に突出するように形成されているため、一旦装着されたケーブル１２０が引出し開口１５の内側からスリット７６に入り込む危険性をより低減でき、歩行者に蹴られる等した際に線材引出し口キャップ７が偶発的に外れてしまう危険性をより低減することができる。また、線材引出し口キャップ７では、カバー部３４が平面視略楕円のドーム形状に形成され、その長軸方向の両側に引出し開口１５及びスリット７６がそれぞれ形成されている。尚、線材引出し口キャップ７に形成される引出し開口１５及びスリット７６の数は単数或いは２個以上の３個、４個等の複数とすることが可能である。
【００８４】
図９（ｄ）の線材引出し口キャップ８の場合、スリット８６の両側の一対の対向端部１２ａ・１２ａのそれぞれに対して、引出し開口１５側（内側）に平面視略三角形等の凹部である切欠３１が形成されており、対向端部１２ａが外側から内側に向けて押圧されると、切欠３１が幅を狭めるように対向端部１２ａは変形し、スリット８６が広がるようになっている。従って、ケーブル１２０に線材引出し口キャップ８を装着する際には、切欠３１を内側に変形してスリット８６を広げ、ケーブル１２０を引出し開口１５に容易に導入することができる。他方において、対向端部１２ａが引出し開口１５の内側から外側に向けて押圧された場合、切欠３１の幅が広がるように対向端部１２ａが変形し、対向端部１２ａ・１２ａ同士がぶつかってスリット８６の幅がゼロになる。従って、ケーブル１２０に線材引出し口キャップ８が一旦装着されると、歩行者に蹴られる等した際にケーブル１２０が引出し開口１５の内側からスリット８６の付近にぶつかった程度では、容易には外れなくなる。尚、線材引出し口キャップ８においても、対向端部１２ａ・１２ａが常態で当接し、スリット８６の間隔を常態でゼロとしてもよい。
【００８５】
図９（ｄ）の線材引出し口キャップ８では、スリット８６が幅狭部として機能すると共に、スリット８６の両側の一対の対向端部１２ａ・１２ａ及び切欠３１が、一対の対向端部１２ａ・１２ａの外側から内側への変形の許容と内側から外側に変形した際に当接し易くすることを助長する特定方向変形部として機能するため、ケーブル１２０の引出し開口１５への装着を容易とし、一旦装着したケーブル１２０が外れることを確実に防止することができる。尚、この特定方向変形部は、図９（ｄ）の構成に限定されるものではなく、一対の対向端部１２ａ・１２ａの外側から内側への変形の許容と内側から外側に変形した際に当接し易くすることを助長する構成であれば適宜であり、形状的に対向端部１２ａの内側への曲がり量を増大できる適宜の構成等とすることが可能であり、又、スリット８６、対向端部１２ａ及び切欠３１の形状や設置箇所、位置関係、設置数等は同様の機能を得られれば適宜である。例えば、図９（ａ）の線材引出し口キャップ５において、正面視で左側の対向端部１２ａの引出し開口１５側に対して切欠３１を少なくとも一つ形成し、特定方向変形部とすることも可能である。
【００８６】
図９（ｅ）の線材引出し口キャップ９の場合、脚台部１２に対して第１実施形態のスリット１６（図１及び図２参照）が形成されていると共に、カバー部１４に対して第２実施形態のスリット２６（図３及び図４参照）が形成されており、スリット２６の両側の対向端部１４ａ・１４ａが引出し開口１５を下側の第１引出し開口１５ａと第２引出し開口１５ｂとに分割している。この構成により、例えば二本のケーブル１２０を引出し口１１０から引き出す際に、一方のケーブル１２０を第１引出し開口１５ａから引出し、他方のケーブル１２０を第２引出し開口１５ｂから引き出すことができる。また、複数の幅狭部であるスリット１６、２６を形成することで、歩行者に蹴られる等された際にケーブル１２０から線材引出し口キャップ９が外れてしまう危険性をより回避することができる。
【００８７】
図９（ｆ）の線材引出し口キャップ１０の場合、図９（ｅ）の線材引出し口キャップ９の対向端部１２ａと対向端部１４ａとを一つに連結するようにして対向端部３２が形成されていると共に、スリット１６とスリット２６とが一つのスリット９６として形成されている。即ち、線材引出し口キャップ１０では、脚台部１２からカバー部１４に連続して分割するスリット９６が切り込まれ、その両側に一対の大きな対向端部３２・３２が形成されており、対向端部３２が脚台部１２からカバー部１４にかけて立体的に形成されている分だけ剛性が強くなり、歩行者に蹴られる等された際にケーブル１２０から線材引出し口キャップ９が外れてしまう危険性をより回避することができる。
【００８８】
また、第１実施形態では、対向端部１２ａ・１２ａの幅が脚台部１２の他の部分に比べて狭く形成されている場合について説明したが、この対向端部１２ａ・１２ａの幅は脚台部１２の他の部分と同程度の幅、或いは脚台部１２の他の部分のよりも広くなるように形成してもよい。
【００８９】
また、第１、第２実施形態では、略円弧形状の脚台部１２において、円弧形状の一部が弦のように略直線になった形状で形成されている場合について説明したが、スリット１６、２６の外側の開放端が脚台部１２の略円弧形状の外周ラインよりも内側に位置する適宜の形状とすることが可能である。例えば脚台部１２の外周よりも大きい半径の円弧で脚台部１２の略円弧形状を切断したような形状や、スリット１６、２６の部分が内側に凹んだ形状等とすることが可能である。また、平面視で略円弧形状である脚台部１２の一部を変形させない構成とすることも可能であり、例えば線材引出し口キャップの外周を平面視で円形状としてもよい。
【００９０】
また、上述の第４実施形態においては、スリット４６を正面視で略Ｓ字形状に形成し、スリット４６を介して分離している対向端部２２ａ・２２ａ同士を係合するための係止部３０を設ける場合について説明したが、一対の対向端部２２ａ・２２ａの一方が他方に重なるように形成されるのであればスリット４６の形状は適宜であり、又、係止部３０の形状や大きさ、設置数、その設置位置についても適宜である。
【００９１】
尚、ケーブル１２０に対する線材引出し口キャップの装着のし易さ、一旦装着した後のケーブル１２０の外れ難さ、ケーブル１２０の取り回しの容易さ、或いは線材引出し口キャップの強度の最適化、等を考慮し、第１実施形態〜第４実施形態の各線材引出し口キャップ１〜４や、他の実施形態の各線材引出し口キャップ５〜１０の各構成の一部や全部を任意に組み合わせる構成とすることも可能である。
【産業上の利用可能性】
【００９２】
本発明の線材引出し口キャップは、二重床の上面に敷設される仕上材の線材引出し口を覆う際に利用することができる。
【符号の説明】
【００９３】
１、２、３、４、５、６、７、８、９、１０…線材引出し口キャップ
１２、２２…脚台部  １２ａ、１４ａ、２２ａ、３２…対向端部  １２ｂ、２２ｂ…裏面  １２ｃ…円柱突起  １２ｄ…係止部  １２ｅ…係合突起
１３、２３…導入開口
１４、２４、３４…カバー部
１５、２５、３５…引出し開口  １５ａ…第１引出し開口  １５ｂ…第２引出し開口
１６、２６、３６、４６、５６、６６、７６、８６、９６…スリット
１７…マジックテープ
１９…ノックアウト
２０…リベット
３０…係止部  ３１…切欠
１００…カーペット  １１０…引出し口  １２０…ケーブル
【図１】
2011226160.tif 000003
【図２】
2011226160.tif 000004
【図３】
2011226160.tif 000005
【図４】
2011226160.tif 000006
【図５】
2011226160.tif 000007
【図６】
2011226160.tif 000008
【図７】
2011226160.tif 000009
【図８】
2011226160.tif 000010
【図９】
2011226160.tif 000011